(57)【特許請求の範囲】
【請求項１】
軍手などの手袋の全指または一部の指並びに掌または甲の部分の少なくとも片方にパイルが無数に植毛状に一体化されている清掃用手袋において、前記のようにパイルが無数に植毛状に一体化されている領域が、比較的長い長パイルの領域と比較的短い短パイルの領域とに分かれていることを特徴とする清掃用手袋。
【請求項２】
軍手などの手袋の全指または一部の指並びに掌または甲の部分の少なくとも片方にパイルが無数に植毛状に一体化されている清掃用手袋の、前記のようにパイルが無数に植毛状に一体化されている領域において、各パイルは二つ折りにしてＵ字状に折り曲げた部分で一体化され、その片方が比較的長いパイルとなり、他方が比較的短いパイルとなっていることを特徴とする清掃用手袋。
【請求項３】
無数のパイルの手袋への一体化が、接着または縫い付けまたは結び付けによって行われていることを特徴とする請求項１または請求項２に記載の清掃用手袋。
【請求項４】
無数のパイルの手袋への一体化が、手袋の織り時または編み時に一体的に織り込まれまたは編み込まれていることを特徴とする請求項１または請求項２に記載の清掃用手袋。
【請求項５】
予めパイルが一体化された手袋の掌側と予めパイルが一体化された手袋の甲側とを重ねて一体化することによって手袋を形成する際に、
前記の掌側と甲側とが、手袋の全指または一部の指並びに掌または甲の部分の少なくとも片方において、比較的長い長パイルの領域と比較的短い短パイルの領域とに分かれているか、長パイルと短パイルが混在していることを特徴とする清掃用手袋の製造方法。
【発明の詳細な説明】
【０００１】
【産業上の利用分野】
本発明は、軍手などの手袋を改良した清掃用手袋並びにその製法に関する。
【０００２】
【従来の技術と発明が解決しようとする課題】
床清掃用のモップなどでは、長さが１ｃｍ以上もある長パイルが無数に植毛状に一体化された品物が市販されている。また、図１（１）のように、矢印ａ１方向から手を挿入できるグローブ状体１において、（２）のように反対側の表面、すなわち掌の部分に、無数の長パイル２が一体化された清掃具も市販されている。しかしながら、指状に分岐していないので、柔軟性が足りず、また細かい動きができないため、細かい部分や細い物体、複雑な形状をした箇所の清掃やつや出しには適しない。また、握った状態で清掃したりつや出しするのにも適しない。
【０００３】
一方、実開昭５６−１３４３２０号公報などに掲載のように、手袋の指や掌にブラシを一体的に設けた作業用の手袋が提案されているが、手袋自体と材質が異なるため、違和感があり、使用しづらい。また、細かい部分まで洗浄したり磨いたり、拭いたりする作業がしにくい。漆塗りの部分や貴金属の表面などのようにソフトな扱いを要する部分には適しない。
【０００４】
しかも、単一種のブラシなどが一体化されているだけであるから、使い方は決まっている。したがって、単一の手袋で二通り以上の使い方をすることはできない。
【０００５】
本発明の技術的課題は、このような問題に着目し、軍手などの手袋を改良することによって、細かい部分や細い物や複雑な箇所も拭いたり磨いたりでき、しかも単一の手袋でありながら、各種の用途に適し、しかも使いやすい清掃用手袋を実現することにある。
【０００６】
【課題を解決するための手段】
本発明の技術的課題は次のような手段によって解決される。請求項１は、軍手などの手袋の全指または一部の指並びに掌または甲の部分の少なくとも片方にパイルが無数に植毛状に一体化されている清掃用手袋において、前記のようにパイルが無数に植毛状に一体化されている領域が、比較的長い長パイルの領域と比較的短い短パイルの領域とに分かれていることを特徴とする清掃用手袋である。
【０００７】
このように、軍手などの全指または一部の指並びに掌または甲の部分の少なくとも片方にパイルが無数に植毛状に一体化されているため、このようにパイルが一体化されている部分を使用することによって、パイルの特性を利用して、ホコリなどを拭いたり、吸着したり、磨いてつや出ししたりできる。
【０００８】
しかも、手袋の指の部分にもパイルが付いているので、従来と違って、細かい部分や形状が複雑な部分、棒状の細い物体でも確実に拭いたり磨いたりできる。また、軍手などの掌のみにパイルを無数に設け、甲の部分は軍手のままにしておくと、パイルを利用して掌の部分で拭いたりつや出しでき、甲の部分を掌側にして用いると、従来通り軍手として物を掴んだりできる。すなわち、二通りの使い方ができる。
【０００９】
また、手袋の掌側は指の部分も含めて全体を短パイルとし、甲側は指の部分も含めて全体を長パイルとする。あるいは、掌や甲の部分は長パイルとし、指の部分は短パイルとする。掌や指の部分であっても、場所に応じてパイルの長さを変えるなど、領域によって、異種のパイルを設ける。
【００１０】
このように、手袋の掌や甲の部分、あるいは指の部分のパイルが、長パイルの領域と短パイルの領域とに分かれているため、長パイルが適している部分は、長パイルの部分で拭いたり、磨いたりできる。また、短パイルが適している部分は、短パイルの部分で拭いたり、磨いたりできる。したがって、単一の手袋でも、二通り以上の使い方ができ、より緻密な構成になっている。
【００１１】
請求項２は、軍手などの手袋の全指または一部の指並びに掌または甲の部分の少なくとも片方にパイルが無数に植毛状に一体化されている清掃用手袋の、前記のようにパイルが無数に植毛状に一体化されている領域において、各パイルは二つ折りにしてＵ字状に折り曲げた部分で一体化され、その片方が比較的長いパイルとなり、他方が比較的短いパイルとなっていることを特徴とする清掃用手袋である。
【００１２】
このように、パイルが無数に植毛状に一体化されている領域において、各パイルは二つ折りにしてＵ字状に折り曲げた部分で一体化され、その片方が比較的長いパイルとなり、他方が比較的短いパイルとなっているため、植毛状の無数のパイルは、実質的に、長パイルと短パイルとが混在している状態となる。その結果、長パイルと短パイルが混在しているため、パイルの根元側は全体のパイルの作用によって、腰が強く、先端側は長パイルのみしか存在しないので、比較的柔軟である。そのため、比較的ソフトなタッチで拭いたりできるので、漆塗りの面や貴金属類などのように、デリケートで、ていねいな扱いを要する箇所のホコリ取りや汚れ拭きなどの清掃やつや出しなどに適している。
【００１３】
請求項３は、請求項１または請求項２に記載の無数のパイルの手袋への一体化が、接着または縫い付けまたは結び付けによって行われている清掃用手袋である。このように、無数のパイルが、接着または縫い付けまたは結び付けによって手袋と一体化されている。そのため、これらの一体化手段のどれを採用してもよく、製造は比較的容易である。
【００１４】
請求項４は、請求項１または請求項２に記載の無数のパイルの手袋への一体化が、手袋の織り時に一体的に織り込まれている清掃用手袋である。このように、軍手などの手袋を織って製造する段階で、パイルも織り込んでいくことができるので、完成した手袋にパイルを後で一体化する場合に比べると、製造工程を短縮できる。
【００１５】
請求項５は、予めパイルが一体化された手袋の掌側と予めパイルが一体化された手袋の甲側とを重ねて一体化することによって手袋を形成する際に、前記の掌側と甲側とが、手袋の全指または一部の指並びに掌または甲の部分の少なくとも片方において、比較的長い長パイルの領域と比較的短い短パイルの領域とに分かれているか、長パイルと短パイルが混在していることを特徴とする清掃用手袋の製造方法である。
【００１６】
このように、手袋の掌側と甲側とを別体に形成し、後で重ねて一体化して手袋にするが、この掌側と甲側には、予めパイルが一体化されている。したがって、完成した手袋に、後でパイルを一体化する製法とは異なり、予めパイルが一体化された状態の掌側と甲側とを重ねて一体化し手袋にする。そのため、手袋になった状態でパイルを一体化する場合よりも、掌側のみ、あるいは甲側のみの一重の状態でパイルを一体化する作業が容易であり、またパイルが一体化されている掌側と甲側とを重ねて一体化して手袋にするのも容易である。結局、パイルつきの手袋を、極めて容易にかつ安価に製造できる。
【００１７】
また、手袋の掌側と甲側とが、手袋の全指または一部の指並びに掌または甲の部分の少なくとも片方において、比較的長い長パイルの領域と比較的短い短パイルの領域とに分かれているか、長パイルと短パイルが混在しているため、結果的に請求項１のように長パイルの領域と短パイルの領域とに分かれている手袋を製造することも、請求項２のように長パイルと短パイルが混在している手袋を製造することも可能となる。
【００１８】
【発明の実施の形態】
次に本発明による清掃用手袋とその製造方法が実際上どのように具体化されるか実施形態を説明する。図２は軍手を用いて無数のパイルを一体化した実施形態である。（１）は手の甲の部分に対応する側であり、（２）は掌に対応する側である。
【００１９】
この実施形態では、（１）図のように、軍手の甲の側３は従来の軍手のままであるが、（２）図のように、掌側には、無数の長いパイル２が植毛状に一体化されている。
【００２０】
使用に際しては、右手を入れて甲側３を掌側にして使用すると、通常の軍手と同様に物を掴んだりできる。また、左手を入れてパイル２側を掌側にして使用すると、物を拭いたり、みがいて光沢を出したりできる。なお、掌側のパイル２だけでなく、手袋の指の部分の領域も含めて全領域にパイルを設けてあるが、部分的に設けてもよい。例えば、一部の指の部分だけ、あるいは指部の一部分だけにパイルを設けてもよい。
【００２１】
また、図２の実施形態は、掌側だけにパイルを一体化してあるが、甲の部分３にもパイルを植毛状に一体化してもよい。すなわち、図３のように、手袋の全面にパイルを設ける。このとき、図３（１）のように、甲側と掌側とで、パイルの種類を変えてもよい。すなわち、甲の側は長パイル２を設け、掌側は短パイル４を設ける。その結果、拭いたりする部位に応じて、左手を入れるか、右手を入れるかによって、長パイル２と短パイル４とを使い分けることが可能となる。
【００２２】
なお、パイルの種類を変える領域の選定は自由であり、例えば指の部分は短パイル、掌部分や甲の部分は長パイルとしたり、その逆も可能である。あるいは、図３（２）のように、掌側は掌を短パイル４とし、指側は長パイル２としたり、逆に甲側は、甲の部分を長パイル２とし、指側は短パイル４とすることもできる。指の部分でも、親指と人差し指は長パイルとし、その他の指は短パイルとするなど、自由に選定できる。そして、左手を入れるか、右手を入れるかで、種々の使い分けができる。
【００２３】
パイルの種類としては、パイルの長さだけでなく、パイルの材質の違いや太さの違いなど、あるいは撚り方の違いなども含まれる。図４はパイルの種類を例示したものであり、（１）は木綿の繊維を多数束ねた状態で撚って長パイル２としたものであり、手袋Ｇに縫い付けた例である。図４（２）は、前記（１）図のように木綿の繊維を無数に束ねた状態で撚ったものを複数本用いて再度縄のように撚って長パイル２とした例である。
【００２４】
このように、パイルの撚り方は種々である。また、パイルの太さは、例えば１〜３ｍｍ程度が適しており、長さは0.５〜３ｃｍ程度が適している。したがって、パイルは紐状となる。しかしながら、寸法はこれらに限定されない。材質は、木綿がソフトなため最適であるが、用途によっては化学繊維製のパイルも採用可能である。手袋Ｇの部分は、軍手と同様に木綿製が適している。ただし、編むのでなく、織った布製でもよい。
【００２５】
以上は、無数の長パイル２や短パイル４を植毛状に一体化する際に、長パイル２だけ、あるいは短パイル４だけというように、手袋の部位によるパイルの使い分けであったが、図５（１）のように、無数のパイル全体において、長パイル２と短パイル４とを混在させることもできる。
【００２６】
このように、長パイル２と短パイル４が混在していると、パイルの根元側は、無数のパイルが密集しているために腰が強くなり、先端側は長パイル２のみしか存在しないので、比較的柔軟かつソフトとなる。その結果、比較的ソフトなタッチで磨いたり、拭いたりできるので、漆塗りの面や貴金属類などのようにていねいな扱いを要する箇所のクリーニングやつや出し、手入れなどに適している。
【００２７】
なお、ホコリの拭き取りや吸着、つや出し、あるいは洗浄、研磨など、手入れや作業の内容に応じたスプレイや洗浄剤、ワックス、研磨用品なども市販されているので、これらを併用することによって、かつ所望のパイル部分を用いることによって、種々の作業や処理がより確実に行なえる。
【００２８】
図５（２）は、長パイル２の領域において、殆どの領域を長パイル２のみを配設してあるが、その外周部分のみ短パイル４にしてある。短パイル４だけの領域でも、より外側のみを、更に短いパイルにしてもよい。また、図５（３）のように、殆どの領域を図５（１）のように、長パイル２と短パイル４とを混在させ、外周部分のみを短パイル４だけにすることも可能である。このように、用途に応じて、外周部分を短いパイルにできる。
【００２９】
図６は、前記の各パイルを手袋Ｇに一体化するための手法の例である。以上の実施形態では、手袋Ｇとして、軍手を例示したが、軍手に限らず種々の手袋を使用できる。また、手袋の種類によって、パイルの一体化の手法も異なってくる。図６（１）は、矢印ａ１のように手袋の表から内部に各パイルの先端を挿通してから、矢印ａ２のように折り返して、矢印ａ３のように表側に引き出した構成になっている。この一体化手法は、布状の手袋でも、軍手のように編んだ手袋でも適用できる。
【００３０】
図６（２）は、各パイルを手袋Ｇに接着した例である。接着の場合、左側の図のように、各パイルの一端を手袋Ｇに接着してもよい。５は接着部である。あるいは、中央の図のように、各パイルを二つ折りにして、Ｕ字状に折り曲げた部分を接着してもよい。あるいは、右側の図のように、図６（１）のように手袋の表から内部に挿通してから折り返して表側に引き出し、さらに接着すると、一体化がより確実になる。前２者は、布状の手袋に適しており、最後の１者は、軍手のような編んだ手袋にも適している。
【００３１】
図６（３）は、各パイルを１本ずつ、手袋Ｇを構成している糸に結び着けた例である。軍手のように編んだ手袋の場合は、左側の図のように、軍手を構成する１本１本の糸にパイルを１本ずつ結び着けてもよいし、中央の図のように、複数本の糸にパイルを１本ずつ結び着けてもよい。なお、１本ずつではなく、数本のパイルをまとめて結び付けることも可能である。
【００３２】
布製の手袋の場合は、右側の図のように、図６（１）のように手袋の表から内部に挿通してから折り返して表側に引き出してから、表側で互いに結ぶと、一体化がより確実になる。
【００３３】
図７は、前記のようにパイルを結びつける手法の各種実施形態である。（１）図のように、１本または複数本のパイルを手袋の１本または複数本の糸に通してから、表側で両側を互いに撚り合わせて結び付けることができる。あるいは、（２）のように二つ折りのパイルを手袋の一部に通してから、表側で両端を二つ折り部に挿通すると、（３）図のようになる。この状態で、前記の両端部を引っ張って締めつける。なお、これら以外の方法で結び付けてもよい。
【００３４】
以上の手法のほかに、パイルを手袋に縫い付けて一体化することもできる。前記の図５は、縫い糸６でパイル２、４を手袋Ｇに縫い付けて一体化した例も示している。縫い付けて一体化する場合は、図８（１）のように、無数のパイルを１列に寝かせた状態で、中間部を糸６で手袋Ｇに縫い付ける。次いで、（２）のように、寝ているパイルを矢印方向に起こすと、図５のように、Ｕ字状に折り曲げた部分が糸６で手袋Ｇに縫い付けられた構成になる。
【００３５】
このように、縫い付けによると、多数のパイルを一斉に手袋に一体化できるという利点があり、大量生産に適している。また、このように縫い付けて一体化する場合は、完成した手袋に後でパイルを一体化するよりも、先にパイルを一体化してから、手袋にする製法が適している。
【００３６】
すなわち、手袋の掌側となる部分と甲側となる部分とを用意しておく。そして、図９（１）のように、手袋の掌側となる部分７に短パイル４を縫い付けて一体化する。同様にして、図９（２）のように、手袋の甲側となる部分８に長パイル２を縫い付けて一体化する。
【００３７】
そして、図９（１）の掌側となる部分７と図９（２）の甲側となる部分８とを背中合わせに重ね合わせ、外周を互いに縫い合わせて一体化すると、図９（３）や図３（１）のような手袋が完成する。この製法によると、容易にかつ能率的にパイルを一体化できるので、量産に適している。なお、図９、図３は、図２（１）におけるＡ−Ａ位置の断面を表している。
【００３８】
以上の製法のほか、手袋を製造する段階において、パイルを手袋に編み込んだり、織り込んでいくことによって一体化することも可能である。この手法は、布製の手袋を織っている際にパイルを織り込むことも可能ではあるが、軍手を編んでいく際にパイルを編み込んだり織り込んだりする方が容易である。このように、手袋の製造段階でパイルを織り込んでいくと、製造工程が短縮できる。
【００３９】
以上の実施形態において、長パイルと短パイルとは、相対的に長いパイルと短いパイルを指しているが、長パイルとは例えば１ｃｍ以上の長さが適しており、短パイルとは１ｃｍ未満の長さが適している。しかしながら、理想的には、長パイルは２ｃｍ以上の長さが適している。
【００４０】
【発明の効果】
請求項１のように、軍手などの全指または一部の指並びに掌または甲の部分の少なくとも片方にパイルが無数に植毛状に一体化されているため、このようにパイルが一体化されている部分を使用することによって、パイルの特性を利用して、ホコリなどを拭いたり、吸着したり、磨いてつや出ししたりできる。
【００４１】
しかも、手袋の指の部分にもパイルが付いているので、従来と違って、細かい部分や形状が複雑な部分、棒状の細い物体でも確実に拭いたり磨いたりできる。また、軍手などの掌のみにパイルを無数に設け、甲の部分は軍手のままにしておくと、パイルを利用して掌の部分で拭いたりつや出しでき、甲の部分を掌側にして用いると、従来通り軍手として物を掴んだりできる。すなわち、二通りの使い方ができる。
【００４２】
また、手袋の掌側は指の部分も含めて全体を短パイルとし、甲側は指の部分も含めて全体を長パイルとする。あるいは、掌や甲の部分は長パイルとし、指の部分は短パイルとする。掌や指の部分であっても、場所に応じてパイルの長さを変えるなど、領域によって、異種のパイルを設ける。
【００４３】
このように、手袋の掌や甲の部分、あるいは指の部分のパイルが、長パイルの領域と短パイルの領域とに分かれているため、長パイルが適している部分は、長パイルの部分で拭いたり、磨いたりできる。また、短パイルが適している部分は、短パイルの部分で拭いたり、磨いたりできる。したがって、単一の手袋でも、二通り以上の使い方ができ、より緻密な構成になっている。
【００４４】
請求項２のように、パイルが無数に植毛状に一体化されている領域において、各パイルは二つ折りにしてＵ字状に折り曲げた部分で一体化され、その片方が比較的長いパイルとなり、他方が比較的短いパイルとなっているため、植毛状の無数のパイルは、実質的に、長パイルと短パイルとが混在している状態となる。その結果、長パイルと短パイルが混在しているため、パイルの根元側は全体のパイルの作用によって、腰が強く、先端側は長パイルのみしか存在しないので、比較的柔軟である。したがって、比較的ソフトなタッチで拭いたりできるので、漆塗りの面や貴金属類などのように、デリケートで、ていねいな扱いを要する箇所のホコリ取りや汚れ拭きなどの清掃やつや出しなどに適している。
【００４５】
請求項３のように、無数のパイルが、接着または縫い付けまたは結び付けによって手袋と一体化されている。そのため、これらの一体化手段のどれを採用してもよく、製造は比較的容易である。
【００４６】
請求項４のように、軍手などの手袋を織って製造する段階で、パイルも織り込んでいくことができるので、完成した手袋にパイルを後で一体化する場合に比べると、製造工程を短縮できる。
【００４７】
請求項５のように、手袋の掌側と甲側とを別体に形成し、後で重ねて一体化して手袋にするが、この掌側と甲側には、予めパイルが一体化されている。したがって、完成した手袋に、後でパイルを一体化する製法とは異なり、予めパイルが一体化された状態の掌側と甲側とを重ねて一体化し手袋にする。そのため、手袋になった状態でパイルを一体化する場合よりも、掌側のみ、あるいは甲側のみの一重の状態でパイルを一体化する作業が容易であり、またパイルが一体化されている掌側と甲側とを重ねて一体化して手袋にするのも容易である。結局、パイルつきの手袋を、極めて容易にかつ安価に製造できる。
【００４８】
また、手袋の掌側と甲側とが、手袋の全指または一部の指並びに掌または甲の部分の少なくとも片方において、比較的長い長パイルの領域と比較的短い短パイルの領域とに分かれているか、長パイルと短パイルが混在しているため、結果的に請求項１のように長パイルの領域と短パイルの領域とに分かれている手袋を製造することも、請求項２のように長パイルと短パイルが混在している手袋を製造することも可能となる。
【図面の簡単な説明】
【図１】  従来の市販の清掃具を例示する図である。
【図２】  軍手に無数のパイルを一体化した実施形態であり、（１）は手の甲の部分に対応する側、（２）は掌に対応する側である。
【図３】  種類の異なるパイルを単一の手袋に一体化した各種実施形態である。
【図４】  パイルの種類を例示する側面図である。
【図５】  長パイルと短パイルを併用した各種実施形態の側面図である。
【図６】  各パイルを手袋に一体化する手法を例示する側面図である。
【図７】  各パイルを手袋に結び付けて一体化する手法を例示する斜視図である。
【図８】  無数のパイルを手袋に縫い付ける一体化手法を説明する側面図である。
【図９】  パイルが一体化された手袋の掌側と甲側とを縫い合わせて手袋を製造する方法を説明する断面図である。
【符号の説明】
１  グローブ状体
２  長パイル
３  軍手の甲側
４  短パイル
Ｇ  手袋
５  接着部
６  縫い糸
７  手袋の掌側部分
８  手袋の甲側部分
【図１】
0003665754.tif 000002
【図２】
0003665754.tif 000003
【図３】
0003665754.tif 000004
【図４】
0003665754.tif 000005
【図５】
0003665754.tif 000006
【図６】
0003665754.tif 000007
【図７】
0003665754.tif 000008
【図８】
0003665754.tif 000009
【図９】
0003665754.tif 000010